(57)【要約】      （修正有）【課題】情報提供装置から送信されてくるクロック信号にジッターが含まれている場合でも、ＡＶデータのみならずジッターまでも復元することで、正確な再生を行えるようにした記録再生装置を提供する。【解決手段】制御部は、クロック信号ジェネレータが生成したオーバサンプリングクロック信号を用いて、同期を取り、情報提供装置のクロック信号ジェネレータが生成したクロック信号もデータとして記録する。再生信号生成部は、入力されたクロック信号に基づいて、ＡＶデータを処理してアナログの再生信号を生成し、その再生映像信号又は再生音声信号を装置本体外部に出力する。外部には、例えばモニターやスピーカが接続されている。これにより、装置本体外部において、ＡＶデータのみならずジッターまでも復元した、正確な映像又は音声の再生が行われる。【選択図】図２
2007109340.tif 000002
【特許請求の範囲】
【請求項１】
映像又は音声に関するＡＶデータを提供する情報提供装置から、該ＡＶデータを受信するインタフェース部と、
前記ＡＶデータの記録を行う際、前記インタフェース部が受信した前記ＡＶデータを情報記録媒体に記録するデータ記録手段と、
前記データ記録手段によって前記情報記録媒体に記録された前記ＡＶデータの再生を行う際、該情報記録媒体から該ＡＶデータを読み出し、該ＡＶデータを処理して再生信号を生成する再生信号生成手段と、を備える記録再生装置において、
前記インタフェース部は、前記ＡＶデータの他、前記情報提供装置から該ＡＶデータと同期を取るために第一のクロック信号を受信し、
前記データ記録手段は、前記インタフェース部が受信した前記第一のクロック信号より高い周波数の第二のクロック信号を生成し、
前記データ記録手段は、前記ＡＶデータの記録を行う際、前記第二のクロック信号を用いて、前記インタフェース部が受信した前記ＡＶデータと前記第一のクロック信号とを、対応付けて、且つそれぞれ同期を取りつつ情報記録媒体に記録し、
前記再生信号生成手段は、前記データ記録手段によって前記情報記録媒体に記録された前記ＡＶデータの再生を行う際、該情報記録媒体から該ＡＶデータと前記第一のクロック信号とを読み出し、該第一のクロック信号に基づいて該ＡＶデータを処理して再生信号を生成し、
前記インタフェース部は、前記ＡＶデータ及び前記第一のクロック信号の他、該ＡＶデータを前記第一のクロック信号のみを用いて再生するよりも、適切に再生するために予め定めた属性情報を受信し、
前記データ記録手段は、前記ＡＶデータの記録を行う際、前記インタフェース部が受信した前記ＡＶデータと前記第一のクロック信号と前記属性情報を、対応付けて、且つそれぞれ同期を取りつつ情報記録媒体に記録し、
前記再生信号生成手段は、前記データ記録手段によって前記情報記録媒体に記録された前記ＡＶデータの再生を行う際、該情報記録媒体から該ＡＶデータと前記第一のクロック信号と前記属性情報とを読み出し、該第一のクロック信号と該属性情報とに基づいて該ＡＶデータを処理して再生信号を生成する記録再生装置。
【請求項２】
映像又は音声に関するＡＶデータを提供する情報提供装置から、該ＡＶデータを受信するインタフェース部と、
前記ＡＶデータの記録を行う際、前記インタフェース部が受信した前記ＡＶデータを情報記録媒体に記録するデータ記録手段と、
前記データ記録手段によって前記情報記録媒体に記録された前記ＡＶデータの再生を行う際、該情報記録媒体から該ＡＶデータを読み出し、該ＡＶデータを処理して再生信号を生成する再生信号生成手段と、を備える記録再生装置において、
前記インタフェース部は、前記ＡＶデータの他、前記情報提供装置から該ＡＶデータと同期を取るために第一のクロック信号を受信し、
前記データ記録手段は、前記ＡＶデータの記録を行う際、前記インタフェース部が受信した前記ＡＶデータと前記第一のクロック信号とを、対応付けて、且つそれぞれ同期を取りつつ情報記録媒体に記録し、
前記再生信号生成手段は、前記データ記録手段によって前記情報記録媒体に記録された前記ＡＶデータの再生を行う際、該情報記録媒体から該ＡＶデータと前記第一のクロック信号とを読み出し、該第一のクロック信号に基づいて該ＡＶデータを処理して再生信号を生成する記録再生装置。
【請求項３】
前記インタフェース部は、前記ＡＶデータ及び前記第一のクロック信号の他、該ＡＶデータを前記第一のクロック信号のみを用いて再生するよりも、適切に再生するために予め定めた属性情報を受信し、
前記データ記録手段は、前記ＡＶデータの記録を行う際、前記インタフェース部が受信した前記ＡＶデータと前記第一のクロック信号と前記属性情報を、対応付けて、且つそれぞれ同期を取りつつ情報記録媒体に記録し、
前記再生信号生成手段は、前記データ記録手段によって前記情報記録媒体に記録された前記ＡＶデータの再生を行う際、該情報記録媒体から該ＡＶデータと前記第一のクロック信号と前記属性情報とを読み出し、該第一のクロック信号と該属性情報とに基づいて該ＡＶデータを処理して再生信号を生成する請求項２に記載の記録再生装置。
【請求項４】
前記データ記録手段は、前記インタフェース部が受信した前記第一のクロック信号より高い周波数の第二のクロック信号を生成し、該第二のクロック信号を用いて、前記対応付けと前記同期とを行う請求項２又は３に記載の記録再生装置。
【発明の詳細な説明】
【技術分野】
【０００１】
本発明は、ＤＶＤ等の光ディスク又はハードディスク等の磁気記録媒体を再生する再生機能と、光ディスク又は磁気記録媒体にＡＶデータを記録する記録機能と、を単一の筐体内に備える記録再生装置に関するものである。
【背景技術】
【０００２】
従来、ＤＶＤ等の光ディスク又はハードディスク等の磁気記録媒体を再生する再生機能と、光ディスク又は磁気記録媒体にＡＶ（Audio  Visual）データ（以下、映像と音声に係るデータをＡＶデータと称するが、特に区別してないときは、ＡＶデータに制御データ等も含むとする。）を記録する記録機能と、を単一の筐体内に備える記録再生装置が各種考案されている。記録再生装置は、例えばＤＶＤレコーダ、ハードディスクレコーダ、又はパーソナルコンピュータである。
【０００３】
上記光ディスクや磁気記録媒体などの情報記録媒体に記録するＡＶデータは、情報提供装置から、シリアルインタフェースやパラレルインタフェースを介して記録再生装置に送信されてくる。情報提供装置は、例えばイントラネット上でＡＶデータを配信するサーバ機、外付けの光ディスクドライブや外付けのハードディスクドライブなどのドライブ装置、マイクにより収音する録音器、又はスキャナである。
【０００４】
図５は、従来の記録再生装置のブロック図である。
従来の記録再生装置１０１は、シリアルケーブル１０３が接続されるシリアルインタフェースポート１１１と、装置本体１０１各部を制御する制御部１１２と、録画キーや再生キーを有する操作部１１５と、ＡＶデータを処理して再生信号を生成する再生信号生成部１１４と、情報記録媒体１１３にＡＶデータや制御データを記録する情報記録部１１６と、を備える。
【０００５】
記録再生装置１０１は、所謂パーソナルコンピュータである。
情報提供装置１０２は、例えばイントラネット上でＡＶデータを配信するサーバ機、外付けの光ディスクドライブや外付けのハードディスクドライブなどのドライブ装置、マイクにより収音する録音器、又はスキャナである。
情報記録媒体１１３は、例えばＤＶＤ等の光ディスク又はハードディスク等の磁気記録媒体である。情報記録部１１６は、例えば光ディスクドライブやハードディスクドライブなどのドライブ装置である。シリアルケーブル１０３は、例えばＵＳＢケーブル、又はＩＥＥＥ１３９４ケーブルである。
【０００６】
情報提供装置１０２は、クロック信号を生成するクロック信号ジェネレータ１０２Ａを備える。クロック信号ジェネレータ１０２Ａは、例えば水晶振動子からなる水晶発振器で構成される。このクロック信号は、ＡＶデータの同期をとるために送信される。
【０００７】
情報提供装置１０２は、光ディスク又はハードディスクから、映像又は音声に関するＡＶデータを取り込む。又、情報提供装置１０２がスキャナであれば紙から、映像データのみを取り込む（説明を簡便にするため、以下ＡＶデータとまとめて説明するが、ＡＶデータと言えば、映像データのみの場合も含むとする。）。又、情報提供装置１０２が録音器であれば収音から、音声データのみを取り込む（説明を簡便にするため、以下ＡＶデータとまとめて説明するが、ＡＶデータと言えば、音声データのみの場合も含むとする。）。
【０００８】
そして、情報提供装置１０２は、データリンクが確立された後、装置本体１０２に接続されているシリアルケーブル１０３のデータ線を介して、ＡＶデータを提供（送信）する。
【０００９】
ＡＶデータを提供（送信）する際、情報提供装置１０２は、伝送方式にもよるが、クロック信号ジェネレータ１０２Ａで生成したクロック信号を、シリアルケーブル１０３の制御線を介してＡＶデータとともに送信することで、同期を取る。
シリアルインタフェースポート１１１は、情報提供装置１０２が送信したＡＶデータを受信する。
【００１０】
操作部１１５は、ＡＶデータを情報記録媒体１１３に記録するための録画キーや情報記録媒体１１３に記録されているＡＶデータを再生するための再生キーなどを有する。そして、これらのキーの操作信号を制御部１１２に出力する。
【００１１】
制御部１１２は、例えばマイクロコンピュータで構成される。さらに、制御部１１２は、クロック信号を生成するクロック信号ジェネレータ１１２Ａを備える。クロック信号ジェネレータ１１２Ａは、例えば水晶振動子からなる水晶発振器で構成される。制御部１１２は、操作部１１５からの操作信号に応じて、装置本体１０１各部を制御する。
【００１２】
制御部１１２は、上記操作信号を受けてＡＶデータの記録を行う際、情報記録部１１６に指示し、シリアルインタフェースポート１１１で受信したＡＶデータを情報記録媒体１１３に記録させる。
【００１３】
さらに、制御部１１２は、上記操作信号を受けてＡＶデータの再生を行う際、情報記録部１１６に指示し、該情報記録媒体１１３から該ＡＶデータを読み出させる。そして、該ＡＶデータを再生信号生成部１１４に出力する。併せて、クロック信号ジェネレータ１１２Ａにおいて生成したクロック信号は、再生信号生成部１１４に入力される。
【００１４】
再生信号生成部１１４は、入力されたクロック信号に基づいて、ＡＶデータを処理してアナログの再生信号を生成し、その再生映像信号又は再生音声信号を装置本体１０１外部に出力する。外部には、例えばモニターやスピーカが接続されている。これにより、装置本体１０１外部において、映像又は音声の再生が行われる。
【００１５】
図６は、情報提供装置から送信されてくるＡＶデータとクロック信号との対応関係を示す図である。
図６の上段は、情報提供装置１０２から記録再生装置１０１に送信されてくるクロック信号の波形を示しており、下段は、同じく情報提供装置１０２から記録再生装置１０１に送信されてくるＡＶデータの波形を示している。
【００１６】
図６上段に示すように、情報提供装置１０２のクロック信号の波形は、ジッターを含んでおり、乱れている。このジッターを含む原因は、例えば情報提供装置１０２のクロック信号ジェネレータ１０２Ａの故障、クロック信号ジェネレータ１０２Ａ内部の水晶振動子（不図示）や水晶発振器（不図示）の故障、又はシリアルケーブル１０３を通過している間においてクロック信号にノイズが加わることである。
図７は、従来の記録再生装置において録画又は再生を行う時におけるＡＶデータと該記録再生装置のクロック信号との対応関係を示す図である。
図７の上段は、記録再生装置１０１のクロック信号ジェネレータ１１２Ａで生成されるクロック信号の波形を示している。また、下段は、情報記録媒体１１３に記録されるＡＶデータ、又は情報記録媒体１１３から読み出されるＡＶデータの波形を示している。
【００１７】
記録再生装置１０１は、図６で示されるようなクロック信号とともに送信されてくるＡＶデータ（図６の下段参照）を、図６上段のクロック信号でなく、クロック信号ジェネレータ１１２Ａで生成されるクロック信号（図７の上段参照）に基づいて、情報記録媒体１１３に記録する。
なお、記録再生装置１０１は、送信されてくるクロック信号にジッターが含まれていても、これを無視してＡＶデータを情報記録媒体１１３に記録するが、従来の記録再生装置の中には、送信されてくるクロック信号にジッターが含まれていた場合、そのジッターが含まれているクロック信号では同期が取れない、又はそのジッターが含まれているクロック信号に対応するＡＶデータはエラーである、と判断する記録再生装置がある。このような記録再生装置では、そのジッターが含まれているクロック信号に対応するＡＶデータを除いて、正常なクロック信号に対応するＡＶデータのみを、従来の記録再生装置のクロック信号ジェネレータが生成するクロック信号（図７の上段参照）に基づいて、情報記録媒体に記録する。
【００１８】
再生信号生成部１１４は、クロック信号ジェネレータ１１２Ａから入力されたクロック信号（図７の上段参照）に基づいて、情報記録媒体１１３から読み出されたＡＶデータ（図７の下段参照）を処理してアナログの再生信号を生成し、その再生映像信号又は再生音声信号を装置本体１０１外部に出力する。
【００１９】
一方、特許文献１に記載されたようなサンプルレート変換装置が提案されている。
このサンプルレート変換装置は、入力される信号を記憶する記憶手段と、前記記憶手段から信号を読み出すよう制御する読出制御手段と、入力される同期信号に基づき基準信号を発生する基準信号発生手段と、前記基準信号発生手段で発生した基準信号に基づきリセット信号を発生するリセット信号発生手段と、入力されるクロック信号をカウントしデコードリセット信号を出力するカウンタ手段と、前記リセット信号と前記デコードリセット信号との位相を比較しその比較結果から前記読出制御手段を制御する位相比較手段と、を備える。
前記位相比較手段は、前記リセット信号と前記デコードリセット信号のうち先に入力された信号を前記読出制御手段に出力することを特徴とする。前記読出制御手段は、この入力された信号を基準として、記憶手段から信号を読み出すよう制御する。
【特許文献１】特開２０００−１８４３３４公報
【発明の開示】
【発明が解決しようとする課題】
【００２０】
しかしながら、上述のように、情報提供装置１０２から送信されてくるクロック信号にジッターが含まれていることを無視し、再生時に、記録再生装置１０１において生成したクロック信号に基づいて再生していては、正確な再生ができない。つまり、情報提供装置１０２において、光ディスク、ハードディスク又は紙から取り込んだはずのＡＶデータを、ジッターが含まれていることを無視しているがために、正確に復元した再生が行えない。
【００２１】
また、従来の記録再生装置の中において、ジッターが含まれているクロック信号に対応するＡＶデータを除いて、正常なクロック信号に対応するＡＶデータのみを情報記録媒体に記録してしまう記録再生装置を紹介（上述のなお書き参照）したが、これでは、ＡＶデータを除いているので当然に正確な再生ができない。
【００２２】
従って、従来の記録再生装置では、情報提供装置から送信されてくるクロック信号にジッターが含まれている場合、情報提供装置において光ディスク、ハードディスク又は紙から取り込んだＡＶデータそのままを、正確に復元した再生が行えないという問題が生じていた。
【００２３】
また、特許文献１において、記憶手段は、データを記憶するが、サンプルレート変換装置本体に入力されるクロック信号を記憶手段に記録するものではない。よって、サンプルレート変換装置本体に入力されるクロック信号にジッターが含まれている場合には、上記従来の記録再生装置と同様の問題が生じる。
【００２４】
本発明はこのような従来の課題を解決しようとするものであり、情報提供装置から送信されてくるクロック信号にジッターが含まれている場合でも、ＡＶデータのみならずジッターまでも復元することで、正確な再生を行えるようにした記録再生装置を提供することを目的とする。
【課題を解決するための手段】
【００２５】
本発明の記録再生装置は、前記課題を解決するために以下の構成を備えている。
【００２６】
（１）映像又は音声に関するＡＶデータを提供する情報提供装置から、該ＡＶデータを受信するインタフェース部と、
前記ＡＶデータの記録を行う際、前記インタフェース部が受信した前記ＡＶデータを情報記録媒体に記録するデータ記録手段と、
前記データ記録手段によって前記情報記録媒体に記録された前記ＡＶデータの再生を行う際、該情報記録媒体から該ＡＶデータを読み出し、該ＡＶデータを処理して再生信号を生成する再生信号生成手段と、を備える記録再生装置において、
前記インタフェース部は、前記ＡＶデータの他、前記情報提供装置から該ＡＶデータと同期を取るために第一のクロック信号を受信し、
前記データ記録手段は、前記ＡＶデータの記録を行う際、前記インタフェース部が受信した前記ＡＶデータと前記第一のクロック信号とを、対応付けて、且つそれぞれ同期を取りつつ情報記録媒体に記録し、
前記再生信号生成手段は、前記データ記録手段によって前記情報記録媒体に記録された前記ＡＶデータの再生を行う際、該情報記録媒体から該ＡＶデータと前記第一のクロック信号とを読み出し、該第一のクロック信号に基づいて該ＡＶデータを処理して再生信号を生成する。
【００２７】
この構成において、記録再生装置は、例えばＤＶＤレコーダ、ハードディスクレコーダ、又はパーソナルコンピュータである。情報提供装置は、例えばイントラネット上でＡＶデータを配信するサーバ機、外付けの光ディスクドライブや外付けのハードディスクドライブなどのドライブ装置、マイクにより収音する録音器、又はスキャナである。情報記録媒体は、例えば上記光ディスクや磁気記録媒体である。
上記インタフェース部は、シリアルインタフェースやパラレルインタフェースのどちらでも構わない。上記インタフェース部は、シリアルインタフェースやパラレルインタフェースのケーブルが接続される接続ポートのことである。シリアルインタフェースのケーブルは、例えばＵＳＢケーブル、又はＩＥＥＥ１３９４ケーブルである。パラレルインタフェースのケーブルは、例えばＳＣＳＩケーブル、又はＩＥＥＥ１２８４ケーブルである。
上記ＡＶデータ及び第一のクロック信号は、情報提供装置から、このインタフェース部を介して記録再生装置に送信されてくる。
上記データ記録手段は、ＡＶデータの記録を行う際、インタフェース部で受信したＡＶデータと第一のクロック信号とを、対応付けて、且つそれぞれ同期を取りつつ情報記録媒体に記録する。この記録は、ＡＶデータだけでなく、第一のクロック信号もデータとして記録するという意味である。
再生信号生成手段は、入力された第一のクロック信号に基づいて、ＡＶデータを処理してアナログの再生信号を生成し、その再生映像信号又は再生音声信号を装置本体外部に出力する。外部には、例えばモニターやスピーカが接続されている。これにより、装置本体外部において、ＡＶデータのみならずジッターまでも復元した、正確な映像又は音声の再生が行われる。
以上より、情報提供装置から送信されてくるクロック信号にジッターが含まれている場合でも、ＡＶデータのみならずジッターまでも復元することで、正確な再生を行うことができる。つまり、情報提供装置において、光ディスク、ハードディスク又は紙から取り込んだＡＶデータそのままを正確に復元できるので、ユーザに、正確な映像と音声を提供できるという効果を奏する。
【００２８】
（２）前記インタフェース部は、前記ＡＶデータ及び前記第一のクロック信号の他、該ＡＶデータを前記第一のクロック信号のみを用いて再生するよりも、適切に再生するために予め定めた属性情報を受信し、
前記データ記録手段は、前記ＡＶデータの記録を行う際、前記インタフェース部が受信した前記ＡＶデータと前記第一のクロック信号と前記属性情報を、対応付けて、且つそれぞれ同期を取りつつ情報記録媒体に記録し、
前記再生信号生成手段は、前記データ記録手段によって前記情報記録媒体に記録された前記ＡＶデータの再生を行う際、該情報記録媒体から該ＡＶデータと前記第一のクロック信号と前記属性情報とを読み出し、該第一のクロック信号と該属性情報とに基づいて該ＡＶデータを処理して再生信号を生成する。
【００２９】
この構成において、属性情報は、例えばｐ−ｓｙｎｃ（パケット同期信号）、D-Validである。ｐ−ｓｙｎｃは、パケットが送られてくるタイミングや、現在送られているパケットが何バイトか、を示す信号である。D-Validは、データの出力が確定したことを示す信号である。
この構成では、ＡＶデータがパケットとして情報提供装置から送信されてくる場面を想定している。
従来の記録再生装置において、ジッターがクロック信号に含まれている場合、上述のように、ジッターが含まれているクロック信号に対応するＡＶデータを除いて、正常なクロック信号に対応するＡＶデータのみを情報記録媒体に記録してしまう。また、ジッターが含まれていることを無視してＡＶデータを情報記録媒体に記録してしまう。
ＡＶデータがパケットとして送信されてくるにも係わらず、ＡＶデータが一部除かれていたり、ジッターが含まれているクロック信号では同期が取れなかったりするため、従来の記録再生装置は、パケットが送られてくるタイミングや、現在送られているパケットが何バイトかが正確に把握できない。このことは、従来の記録再生装置が、ＡＶデータを情報記録媒体に正確に記録できないことを意味する。そして、従来の記録再生装置が、再生する際において、元通りのパケットに復元できないことも意味する。
そのため、従来の記録再生装置では、情報記録媒体に記録したＡＶデータの正確な再生を行えなかった。
そこで、この構成では、クロック信号の他、ｐ−ｓｙｎｃやD-Validなどを情報記録媒体にＡＶデータとともに記録することで、正確な（適切な）再生を行う。
このため、この構成では、上記（１）よりも正確な（適切な）再生を行うことができる。従って、ユーザに、より一層正確な映像と音声を提供できるという効果を奏する。
また、特殊な属性情報が必要な場合の再生を行うことができるという効果を奏する。
【００３０】
（３）前記データ記録手段は、前記インタフェース部が受信した前記第一のクロック信号より高い周波数の第二のクロック信号を生成し、該第二のクロック信号を用いて、前記対応付けと前記同期とを行う。
【００３１】
上記データ記録手段は、ＡＶデータの記録を行う際、上記第二のクロック信号に基づいて、ＡＶデータと第一のクロック信号とを、対応付けて、且つそれぞれ同期を取りつつ情報記録媒体に記録する。
【発明の効果】
【００３２】
この発明によれば、情報提供装置において、光ディスク、ハードディスク又は紙等から取り込んだＡＶデータそのままを正確に復元できるという効果を奏する。
【発明を実施するための最良の形態】
【００３３】
以下、本発明の第一の実施形態である記録再生装置について説明する。
【００３４】
図１は、本発明の第一の実施形態である記録再生装置のブロック図である。
記録再生装置１は、パラレルケーブル３が接続されるパラレルインタフェースポート１１と、装置本体１各部を制御する制御部１２と、録画キーや再生キー等を有する操作部１５と、ＡＶデータを処理して再生信号を生成する再生信号生成部１４と、セットされている情報記録媒体１３にＡＶデータや制御データを記録する情報記録部１６と、を備える。
【００３５】
記録再生装置１は、所謂パーソナルコンピュータである。
なお、この実施形態では、記録再生装置１をパーソナルコンピュータとして説明しているが、ＤＶＤレコーダやハードディスクレコーダでも構わない。
【００３６】
情報提供装置２は、例えばイントラネット上でＡＶデータを配信するサーバ機、外付けの光ディスクドライブや外付けのハードディスクドライブなどのドライブ装置、マイクにより収音する録音器、又はスキャナである。
情報記録媒体１３は、例えばＤＶＤ等の光ディスク又はハードディスク等の磁気記録媒体である。情報記録部１６は、例えば光ディスクドライブやハードディスクドライブなどのドライブ装置である。パラレルケーブル３は、例えばＳＣＳＩケーブル、又はＩＥＥＥ１２８４ケーブルである。
【００３７】
情報提供装置２は、クロック信号を生成するクロック信号ジェネレータ２Ａを備える。クロック信号ジェネレータ２Ａは、例えば水晶振動子からなる水晶発振器で構成される。このクロック信号は、ＡＶデータの同期をとるために送信される。
【００３８】
情報提供装置２は、光ディスク又はハードディスクから、映像又は音声に関するＡＶデータを取り込む。又、情報提供装置２がスキャナであれば紙から、映像データのみを取り込む（説明を簡便にするため、以下ＡＶデータとまとめて説明するが、映像データのみの場合も含むとする。）。又、情報提供装置２が録音器であれば収音から、音声データのみを取り込む（説明を簡便にするため、以下ＡＶデータとまとめて説明するが、ＡＶデータと言えば、音声データのみの場合も含むとする。）。
【００３９】
そして、情報提供装置２は、データリンクが確立された後、装置本体２に接続されているパラレルケーブル３のデータ線３ｂを介して、ＡＶデータを提供（送信）する。
【００４０】
ＡＶデータを提供（送信）する際、情報提供装置２は、クロック信号ジェネレータ２Ａで生成したクロック信号を、パラレルケーブル３の制御線３aを介してＡＶデータとともに送信することで同期を取る。ここで、同期方式は、例えばハンドシェーク、調歩同期方式、キャラクタ同期方式、フラグ同期方式である。ハンドシェークによるデータリンクの確立や同期は、ＳＴＲＯＢＥ信号、ＢＵＳＹ信号、及びＡＣＫ信号により行われるのが一般的である。
【００４１】
パラレルインタフェースポート１１は、情報提供装置２が送信したＡＶデータとクロック信号とを受信し、これらを制御部１２に出力する。
【００４２】
操作部１５は、ＡＶデータを情報記録媒体１３に記録するための録画キーや情報記録媒体１３に記録されているＡＶデータを再生するための再生キーなどを有する。そして、これらのキーの操作信号を制御部１２に出力する。
【００４３】
制御部１２は、例えばマイクロコンピュータで構成される。制御部１２は、操作部１５からの操作信号に応じて、装置本体１各部を制御する。
さらに、制御部１２は、高周波数のクロック信号であるオーバサンプリングクロック信号（後述の図２上段参照）を生成するクロック信号ジェネレータ１２Ａを備える。クロック信号ジェネレータ１２Ａは、例えば水晶振動子からなる水晶発振器で構成される。
【００４４】
クロック信号ジェネレータ１２Ａは、情報提供装置２を含む一般的な情報提供装置が生成するクロック信号の周波数よりも、高い周波数（例えば２倍、３倍の周波数）を有するクロック信号を生成するように予め設定する。
【００４５】
制御部１２は、上記操作信号を受けてＡＶデータの記録を行う際、情報記録部１６に指示し、パラレルインタフェースポート１１で受信したＡＶデータとクロック信号とを情報記録媒体１３に記録させる（記録の前に、例えばＭＰＥＧ等で制御部１２がエンコードを行っても良い）。
【００４６】
この記録の際、制御部１２は、情報記録部１６に指示し、オーバサンプリングクロック信号（後述の図２上段参照）に基づいて、ＡＶデータとクロック信号とを、対応付けて、且つそれぞれ同期を取りつつ情報記録媒体１３に記録させる。この記録は、ＡＶデータだけでなく、クロック信号もデータとして記録するという意味である。この記録方法について、以下図２を用いて詳述する。
【００４７】
図２は、本発明の第一の実施形態である記録再生装置において録画を行う時におけるＡＶデータとクロック信号とオーバサンプリングクロック信号との対応関係を示す図である。
図２の上段は、オーバサンプリングクロック信号の波形を示しており、中段は、情報提供装置２から記録再生装置１に送信されてくるクロック信号の波形を示しており、下段は、同じく情報提供装置２から記録再生装置１に送信されてくるＡＶデータの波形を示している。
図２中段に示すように、情報提供装置２のクロック信号の波形は、ジッターを含んでおり、乱れている。
【００４８】
制御部１２は、クロック信号ジェネレータ１２Ａが生成したオーバサンプリングクロック信号を用いて、上述の同期を取り、情報提供装置２のクロック信号ジェネレータ２Ａが生成したクロック信号もデータとして記録する。これにより、該クロック信号に含まれるジッターまで表現（復元）できる。
【００４９】
図１に戻り、制御部１２は、上記操作信号を受けてＡＶデータの再生を行う際、情報記録部１６に指示し、情報記録媒体１３からＡＶデータと該ＡＶデータに対応付けされて記録されているクロック信号とを読み出させる。そして、制御部１２は、オーバサンプリングクロック信号を用いて、これらＡＶデータとクロック信号とを、対応付けて且つ同期を取りながら、再生信号生成部１４に出力する（この際、記録の際においてエンコードしたのであれば、制御部１２はデコードしてから出力する）。
【００５０】
再生信号生成部１４は、入力されたクロック信号に基づいて、ＡＶデータを処理してアナログの再生信号を生成し、その再生映像信号又は再生音声信号を装置本体１外部に出力する。外部には、例えばモニターやスピーカが接続されている。これにより、装置本体１外部において、ＡＶデータのみならずジッターまでも復元した、正確な映像又は音声の再生が行われる。
【００５１】
なお、装置本体１外部に接続されているのがディジタル信号対応の装置であれば、再生信号生成部１４は、入力されたクロック信号に基づいて、ＡＶデータを処理してディジタルの再生信号を生成し、その再生映像信号又は再生音声信号を装置本体１外部に出力する。
【００５２】
以上より、情報提供装置２から送信されてくるクロック信号にジッターが含まれている場合でも、ＡＶデータのみならずジッターまでも復元することで、正確な再生を行うことができる。つまり、情報提供装置２において、光ディスク、ハードディスク又は紙等から取り込んだＡＶデータそのままを正確に復元できるので、ユーザに、正確な映像と音声を提供できるという効果を奏する。
【００５３】
ここで、制御部１２、及び情報記録部１６が、本発明の「データ記録手段」に相当する。パラレルインタフェースポート１１が、本発明の「インタフェース部」に相当する。制御部１２、再生信号生成部１４、及び情報記録部１６が、本発明の「再生信号生成手段」に相当する。クロック信号ジェネレータ２Ａが生成するクロック信号が、本発明の「第一のクロック信号」に相当する。オーバサンプリングクロック信号が、本発明の「第二のクロック信号」に相当する。
【００５４】
以下、本発明の第二の実施形態である記録再生装置について説明する。
【００５５】
図３は、本発明の第二の実施形態である記録再生装置のブロック図である。
この実施形態では、ＡＶデータがパケットとして情報提供装置２から送信されてくる場面を想定している。
【００５６】
図３の記録再生装置４が、図１の記録再生装置１と構成において相違する点は、制御部１２にバッファメモリ１２Ｂを設けた点と、再生信号生成部１７である。
再生信号生成部１７は、内部にＡＶデータを一時的に格納するバッファメモリ１７Ｂを備える。
ｐ−ｓｙｎｃ（パケット同期信号）は、パケットが送られてくるタイミングや、現在送られているパケットが何バイトか、を示す信号である。D-Validは、データの出力が確定した時に「１」を出す信号である。
【００５７】
データリンクが確立された後、情報提供装置２は、クロック信号の他、ｐ−ｓｙｎｃ及びD-Validを、パラレルケーブル３の制御線３ｃ及び３ｄを介して、ＡＶデータとともに送信する。この際、ＡＶデータは、パケットとして送信される。同期方式については、上記第一の実施形態で説明したものと同様である。
【００５８】
パラレルインタフェースポート１１は、情報提供装置２が送信したパケットとクロック信号とｐ−ｓｙｎｃとD-Validとを受信し、これらを制御部１２に出力する。
パケットとクロック信号とｐ−ｓｙｎｃとD-Validとは、バッファメモリ１２Ｂに一時的に格納される。
【００５９】
制御部１２は、オーバサンプリングクロック信号（図２上段参照）に基づいて、ＡＶデータとクロック信号とｐ−ｓｙｎｃとD-Validとを対応付けて、且つそれぞれ同期を取りつつバッファメモリ１２Ｂから取り出す。
【００６０】
さらに、制御部１２は、情報記録部１６に指示し、オーバサンプリングクロック信号（図２上段参照）に基づいて、ＡＶデータとクロック信号とｐ−ｓｙｎｃとD-Validとを対応付けて、且つそれぞれ同期を取りつつ情報記録媒体１３に記録させる（記録の前に、例えばＭＰＥＧ等で制御部１２がエンコードを行っても良い）。この記録は、ＡＶデータだけでなく、クロック信号、ｐ−ｓｙｎｃ、及びD-Validもデータとして記録するという意味である。
【００６１】
そして、制御部１２は、上記操作信号を受けてＡＶデータの再生を行う際、情報記録部１６に指示し、情報記録媒体１３からＡＶデータと該ＡＶデータに対応付けされて記録されているクロック信号、ｐ−ｓｙｎｃ、及びD-Validとを読み出させる。そして、制御部１２は、これらＡＶデータとクロック信号、ｐ−ｓｙｎｃ、及びD-Validとを再生信号生成部１７に出力する（この際、記録の際においてエンコードしたのであれば、制御部１２はデコードしてから出力する）。
【００６２】
再生信号生成部１７は、ＡＶデータ、クロック信号、ｐ−ｓｙｎｃ、及びD-Validをバッファメモリ１７Ａに順じ格納していく。そして、再生信号生成部１７は、入力されたクロック信号、ｐ−ｓｙｎｃ、及びD-Validに基づいて、ＡＶデータを処理し、ディジタルの再生信号を生成する（この際例えばＭＰＥＧ等でエンコードを行っても良い）。つまり、パケット化を行う。ここで復元されるパケットは、情報提供装置２において、光ディスク、ハードディスク又は紙等から取り込んだＡＶデータをパケット化したものとほぼ同一のものと言える。
【００６３】
さらに、再生信号生成部１７は、そのパケットを装置本体１外部に出力する。ここで、装置本体１外部に接続されているのは、ディジタル信号対応の装置である。これにより、装置本体１外部において、そのパケットからＡＶデータが取り出され、より正確な映像又は音声の再生が行われる。
【００６４】
以上より、ユーザに、より一層正確な映像と音声を提供できるという効果を奏する。
また、特殊なパケット同期信号が必要な場合の再生を行うことができるという効果を奏する。
なお、この実施形態では、ｐ−ｓｙｎｃ及びD-Validの両方を用いているが、いずれか一方だけの使用でも構わない。
【００６５】
以下、本発明の第三の実施形態である記録再生装置について説明する。
【００６６】
図４は、本発明の第三の実施形態である記録再生装置のブロック図である。
図４の記録再生装置５が、図１の記録再生装置１と構成において相違する点は、シリアルインタフェースを採用した点のみである。記録再生装置５は、シリアルケーブル２３が接続されるシリアルポート２１を備える。
よって、ＡＶデータとクロック信号との流れとしては、以下のようになる。
【００６７】
そのため、ＡＶデータを提供（送信）する際、情報提供装置２は、伝送方式にもよるが、クロック信号ジェネレータ２Ａで生成したクロック信号を、シリアルケーブル２３の制御線を介してＡＶデータとともに送信することで、同期を取る。
そして、シリアルポート２１は、情報提供装置２が送信したＡＶデータとクロック信号とを受信する。
【００６８】
以上、その他のＡＶデータとクロック信号との流れについては、図１の記録再生装置１と同様である。つまり、制御部１２は、上記操作信号を受けてＡＶデータの記録を行う際、情報記録部１６に指示し、シリアルポート２１で受信したＡＶデータとクロック信号とを情報記録媒体１３に記録させる。そして、再生信号生成部１４は、そのクロック信号に基づいて、ＡＶデータを処理してアナログの再生信号を生成し、その再生映像信号又は再生音声信号を装置本体１外部に出力する。
【００６９】
以上より、記録再生装置５は、図１の記録再生装置１と同様の効果を奏する。
【図面の簡単な説明】
【００７０】
【図１】本発明の第一の実施形態である記録再生装置のブロック図
【図２】本発明の第一の実施形態である記録再生装置において録画を行う時におけるＡＶデータとクロック信号とオーバサンプリングクロック信号との対応関係を示す図
【図３】本発明の第二の実施形態である記録再生装置のブロック図
【図４】本発明の第三の実施形態である記録再生装置のブロック図
【図５】従来の記録再生装置のブロック図
【図６】情報提供装置から送信されてくるＡＶデータとクロック信号との対応関係を示す図
【図７】従来の記録再生装置において録画又は再生を行う時におけるＡＶデータと該記録再生装置のクロック信号との対応関係を示す図
【符号の説明】
【００７１】
１−記録再生装置
２−情報提供装置
２Ａ−クロック信号ジェネレータ
３−パラレルケーブル
４−記録再生装置
５−記録再生装置
１１−パラレルインタフェースポート
１２−制御部
１２Ａ−クロック信号ジェネレータ
１２Ｂ−バッファメモリ
１３−情報記録媒体
１４−再生信号生成部
１５−操作部
１６−情報記録部
１７−再生信号生成部
１７Ａ−バッファメモリ
２１−シリアルインタフェースポート
２３−シリアルケーブル
１０１−記録再生装置
１０２−情報提供装置
１０３−シリアルケーブル
１１１−シリアルインタフェースポート
１１２−制御部
１１２Ａ−クロック信号ジェネレータ
１１３−情報記録媒体
１１４−再生信号生成部
１１５−操作部
１１６−情報記録部
【図１】
2007109340.tif 000003
【図２】
2007109340.tif 000004
【図３】
2007109340.tif 000005
【図４】
2007109340.tif 000006
【図５】
2007109340.tif 000007
【図６】
2007109340.tif 000008
【図７】
2007109340.tif 000009